(57)【要約】【課題】機密情報の管理が必要とさる機密管理領域に引率される訪問者を制限し、更に、ＩＣカードが紛失された場合であっても、紛失したＩＣカードの悪用を防止することができる引率入場管理システムを提供する。【解決手段】訪問者に訪問者用ＩＣカード３００を所持させ、入退場門装置５００は、案内者の認証に成功すると、訪問者用ＩＣカード３００を用いて訪問者を認証し、認証に成功すると、フラッパーを開き、機密管理領域９００への入場を許可する。更に、入退場門装置５００は、機密管理領域９００へ入場した訪問者の人数を計数し、予定された訪問者の人数に達していない場合、或いは、訪問者の認証に失敗した場合、引率状況に異常が発生したことを案内者に通知する警告を発する。【選択図】図１
2008102912.tif 000002
【特許請求の範囲】
【請求項１】
案内者が所持するＩＣカードである案内者用ＩＣカードと、前記案内者が機密管理領域に引率する訪問者が所持するＩＣカードである訪問者用ＩＣカードと、前記機密管理領域の入退場口に設置される入退場門装置とから、少なくとも構成される引率入場管理システムであって、
前記案内者用ＩＣカードは、前記案内者の識別情報（案内者識別情報）と、それぞれの前記訪問者の識別情報（訪問者識別情報）とを含む引率データを記憶し、前記入退場門装置から、前記引率データの送信要求を受けたとき前記引率データを返信する引率データ返信手段とを備え、
前記訪問者用ＩＣカードは、前記訪問者識別情報を含む訪問者データを記憶し、前記入退場門装置から、前記訪問者データの送信要求を受けたとき前記訪問者データを返信する訪問者データ返信手段とを備え、
前記入退場門装置は、前記案内者識別情報を含む案内者認証情報を記憶し、前記入退場門装置の扉の開閉を制御する開閉制御手段と、前記訪問者の引率状況に異常があったことを示す警告を発する警告発信手段と、前記引率データの送信を前記案内者用ＩＣカードに要求する引率データ送信要求手段と、前記案内者用ＩＣカードから、前記引率データを受信すると、受信した前記引率データを用いて、前記案内者が引率する前記訪問者の前記訪問者識別情報を含む訪問者照合データを作成する訪問者照合データ作成手段と、前記案内者認証情報を参照して、前記引率データに含まれる前記案内者識別情報を認証し、前記案内者識別情報の認証に成功した場合、前記開閉制御手段に開扉指示を送信する案内者認証手段と、前記案内者の認証に成功した後、前記訪問者データの送信を前記訪問者用ＩＣカードに要求する訪問者データ送信要求手段と、前記訪問者データを前記訪問者用ＩＣカードから受信すると、前記訪問者照合データを参照して、前記訪問者データに含まれる前記訪問者識別情報を認証し、前記訪問者識別情報の認証に成功すると開扉指示を前記開閉制御手段に送信し、認証に失敗したときは、前記警告表示手段を作動させる訪問者認証手段とを備える、ことを特徴とする引率入場管理システム。
【請求項２】
請求項１に記載の引率入場管理システムにおいて、前記入退場門装置に備えられた前記訪問者照合データ作成手段が作成する前記訪問者照合データは、前記訪問者の人数を示す引率人数情報を含み、前記入退場門装置は、前記訪問者認証手段が認証に成功した前記訪問者の人数をカウントし、カウントした前記訪問者の人数と前記訪問者照合データに含まれる引率人数情報が異なる場合、前記警告表示手段を作動させる通過人数計測手段とを備えたことを特徴とする引率入場管理システム。
【請求項３】
案内者が所持するＩＣカードである案内者用ＩＣカードと、前記案内者が機密管理領域に引率する訪問者が所持するＩＣカードである訪問者用ＩＣカードと、前記機密管理領域の入退場口に設置される入退場門装置とを利用して、前記訪問者の入場を管理する引率入場管理方法であって、
前記入退場門装置が、前記案内者の識別情報（案内者識別情報）と、それぞれの前記訪問者の識別情報（訪問者識別情報）とを含む引率データの送信を前記案内者用ＩＣカードに要求し、前記案内者用ＩＣカードから返信された前記引率データから、前記案内者が引率する前記訪問者の前記訪問者識別情報を含む訪問者照合データを作成する訪問者照合データ作成ステップと、
前記入退場門装置が、前記引率データに含まれる前記案内者識別情報を認証し、前記案内者識別情報の認証に成功すると、前記入退場門装置の扉を開く案内者認証ステップと、
前記入退場門装置が、前記訪問者識別情報を含む訪問者データの送信を前記訪問者用ＩＣカードに要求し、前記訪問者照合データを参照して前記訪問者識別情報を認証し、前記訪問者識別情報の認証に成功すると、前記入退場門装置の扉を開き、前記訪問者識別情報の認証に失敗すると、前記訪問者の引率状況に異常があったことを示す警報を発する訪問者認証ステップと、を含んだ手順でなされることを特徴とする引率入場管理方法。
【請求項４】
請求項３に記載の引率入場管理方法において、前記訪問者照合データ作成ステップで作成される前記訪問者照合データには、前記訪問者の人数を示す引率人数情報が含まれ、前記引率入場管理方法の前記訪問者認証ステップにおいて、前記入退場門装置は、前記訪問者識別情報の認証に成功した前記訪問者の人数をカウントし、更に、前記引率入場管理方法は、所定時間の間、前記入退場門装置が前記訪問者用ＩＣカードを検出しなかったとき、前記入退場門装置は、カウントした前記訪問者の人数と前記訪問者照合データに含まれる引率人数情報を比較し、それぞれの値が異なる場合、前記訪問者の引率状況に異常があったことを示す警報を発する通過人数計測ステップと、を含んだ手順でなされることを特徴とする引率入場管理方法。
【発明の詳細な説明】
【技術分野】
【０００１】
本発明は、案内者が、機密保護領域（たとえば、セキュリティ管理された建物や部屋）に訪問者（たとえば、建物への来場者）を引率するときに、機密保護領域への訪問者の引率を管理するシステム及びその方法に関するものである。
【背景技術】
【０００２】
従来から、マンションや企業の建屋或いは建屋内の部屋などの機密保護領域に入場する訪問者を案内者が引率するとき、引率される訪問者を管理するための発明が開示されている。
【０００３】
たとえば、特許文献１の発明においては、マンションの入口に設けられたテンキーにマンションの住人が入力した人数よりも、実際にマンションに入館した入館者の実人数が多いときに警告を発することで、マンションの住人に共連れして、不審訪問者が不正にマンションに入館するのを防止する共連れ検出システムが開示されている。
【０００４】
更に、特許文献２では、セキュリティルームなどへ所定の空間への入場が許可された許可利用者に、利用者の識別情報が記憶されたＩＣカードを予め配布しておき、所定の空間へ入場するためのドアが開放されたときに、ＩＣカードに記憶された識別情報を用いて許可利用者数を計数すると共に、ドアを実際に利用する実利用者数を計測し、許可利用者数と実利用者数を比較することで、ドアの開放／閉鎖を制御するドア制御装置が開示されている。
【特許文献１】特開２００６−１２００８６号公報
【特許文献２】特開２００５−２７２０８８号公報
【発明の開示】
【発明が解決しようとする課題】
【０００５】
ところで、特許文献１では、マンションに入館する者自身を認証していないため、不審者はマンションに入館することが可能であり、マンションの住人に共連れして、不審者がマンションに入館することを阻止できないという問題点がある。
【０００６】
また、特許文献２では、ＩＣカードを紛失したときには、紛失したＩＣカードが悪用されてしまう問題があるし、更に、所定の空間へ入場するためのドアが開放されたときに、ＩＣカードに記憶された識別情報を用いて許可利用者数を計数するため、利用者が待機する待機室を設けなければ、所定の空間に入場する前に、許可利用者数を計数することができない問題があった。
【０００７】
本発明は、このような問題点を考慮してなされたものであって、本発明の課題は、引率される訪問者の認証に利用するＩＣカードを訪問者に所持させることで、機密情報の管理が必要とさる機密管理領域に引率される訪問者を制限し、更に、ＩＣカードが紛失された場合であっても、紛失したＩＣカードの悪用を防止することができる引率入場管理システムおよび方法を提供することを目的とし、加えて、引率する訪問者の人数を計数して訪問者の管理するときに、待機室などの専用の空間を必要としない引率入場管理システムおよび方法をも提供する。
【課題を解決するための手段】
【０００８】
本発明は、以下のような解決手段により、上述した課題を解決する。すなわち、請求項１の発明は、案内者が所持するＩＣカードである案内者用ＩＣカードと、前記案内者が機密管理領域に引率する訪問者が所持するＩＣカードである訪問者用ＩＣカードと、前記機密管理領域の入退場口に設置される入退場門装置とから、少なくとも構成される引率入場管理システムであって、
前記案内者用ＩＣカードは、前記案内者の識別情報（案内者識別情報）と、それぞれの前記訪問者の識別情報（訪問者識別情報）とを含む引率データを記憶し、前記入退場門装置から、前記引率データの送信要求を受けたとき前記引率データを返信する引率データ返信手段とを備え、
前記訪問者用ＩＣカードは、前記訪問者識別情報を含む訪問者データを記憶し、前記入退場門装置から、前記訪問者データの送信要求を受けたとき前記訪問者データを返信する訪問者データ返信手段とを備え、
前記入退場門装置は、前記案内者識別情報を含む案内者認証情報を記憶し、前記入退場門装置の扉の開閉を制御する開閉制御手段と、前記訪問者の引率状況に異常があったことを示す警告を発する警告発信手段と、前記引率データの送信を前記案内者用ＩＣカードに要求する引率データ送信要求手段と、前記案内者用ＩＣカードから、前記引率データを受信すると、受信した前記引率データを用いて、前記案内者が引率する前記訪問者の前記訪問者識別情報を含む訪問者照合データを作成する訪問者照合データ作成手段と、前記案内者認証情報を参照して、前記引率データに含まれる前記案内者識別情報を認証し、前記案内者識別情報の認証に成功した場合、前記開閉制御手段に開扉指示を送信する案内者認証手段と、前記案内者の認証に成功した後、前記訪問者データの送信を前記訪問者用ＩＣカードに要求する訪問者データ送信要求手段と、前記訪問者データを前記訪問者用ＩＣカードから受信すると、前記訪問者照合データを参照して、前記訪問者データに含まれる前記訪問者識別情報を認証し、前記訪問者識別情報の認証に成功すると開扉指示を前記開閉制御手段に送信し、認証に失敗したときは、前記警告表示手段を作動させる訪問者認証手段とを備える、ことを特徴とする引率入場管理システムである。
【０００９】
上述した請求項１の発明によれば、前記案内者に引率される前記訪問者に前記訪問者用ＩＣカードを所持させ、前記訪問者用ＩＣカードを用いて前記訪問者を認証することで、前記機密管理領域に引率される訪問者を制限することが可能になる。更に、前記訪問者の認証は、前記案内者の認証に成功しない限り実行されないため、前記訪問者用ＩＣカードが紛失された場合であっても、紛失した前記訪問者用ＩＣカードの悪用を防止することができる。
【００１０】
請求項２の発明は、請求項１の発明に記載の引率入場管理システムにおいて、前記入退場門装置に備えられた前記訪問者照合データ作成手段が作成する前記訪問者照合データは、前記訪問者の人数を示す引率人数情報を含み、前記入退場門装置は、前記訪問者認証手段が認証に成功した前記訪問者の人数をカウントし、カウントした前記訪問者の人数と前記訪問者照合データに含まれる引率人数情報が異なる場合、前記警告表示手段を作動させる通過人数計測手段とを備えたことを特徴とする。
【００１１】
上述した請求項２の発明によれば、引率する前記訪問者の人数を計数して前記訪問者を管理することができ、更に、前記訪問者の人数の計数は、前記入退場門装置が行うので、待機室などの専用の空間は必要なくなる。
【００１２】
請求項３の発明は、案内者が所持するＩＣカードである案内者用ＩＣカードと、前記案内者が機密管理領域に引率する訪問者が所持するＩＣカードである訪問者用ＩＣカードと、前記機密管理領域の入退場口に設置される入退場門装置とを利用して、前記訪問者の入場を管理する引率入場管理方法であって、
前記入退場門装置が、前記案内者用ＩＣカードを検出したとき、前記案内者の識別情報（案内者識別情報）と、それぞれの前記訪問者の識別情報（訪問者識別情報）とを含む引率データの送信を前記案内者用ＩＣカードに要求し、前記案内者用ＩＣカードから返信された前記引率データから、前記案内者が引率する前記訪問者の前記訪問者識別情報を含む訪問者照合データを作成する訪問者照合データ作成ステップと、
前記入退場門装置が、前記引率データに含まれる前記案内者識別情報を認証し、前記案内者識別情報の認証に成功すると、前記入退場門装置の扉を開く案内者認証ステップと、
前記入退場門装置が、前記訪問者用ＩＣカードを検出したとき、前記訪問者識別情報を含む訪問者データの送信を前記訪問者用ＩＣカードに要求し、前記訪問者照合データを参照して前記訪問者識別情報を認証し、前記訪問者識別情報の認証に成功すると、前記入退場門装置の扉を開き、前記訪問者識別情報の認証に失敗すると、前記訪問者の引率状況に異常があったことを示す警報を発する訪問者認証ステップと、を含んだ手順でなされることを特徴とする。
【００１３】
請求項４の発明は、請求項３の発明に記載の引率入場管理方法において、前記訪問者照合データ作成ステップで作成される前記訪問者照合データには、前記訪問者の人数を示す引率人数情報が含まれ、前記引率入場管理方法の前記訪問者認証ステップにおいて、前記入退場門装置は、前記訪問者識別情報の認証に成功した前記訪問者の人数をカウントし、更に、前記引率入場管理方法は、所定時間の間、前記入退場門装置が前記訪問者用ＩＣカードを検出しなかったとき、前記入退場門装置は、カウントした前記訪問者の人数と前記訪問者照合データに含まれる引率人数情報を比較し、それぞれの値が異なる場合、前記訪問者の引率状況に異常があったことを示す警報を発する通過人数計測ステップと、を含んだ手順でなされることを特徴とする。
【００１４】
請求項３の発明および請求項４の発明によれば、上述した請求項１の発明および請求項２の発明と同様の効果が得られる。
【発明の効果】
【００１５】
このように、上述した本発明によれば、引率される訪問者の認証に利用するＩＣカードを訪問者に所持させることで、機密情報の管理が必要とされる機密管理領域に引率される訪問者を制限し、更に、ＩＣカードが紛失された場合であっても、紛失したＩＣカードの悪用を防止することができる引率入場管理システムおよび方法を提供でき、加えて、引率する訪問者の人数を計数して管理するときに、待機室などの専用の空間を必要としない引率入場管理システムおよび方法をも提供できる。
【発明を実施するための最良の形態】
【００１６】
以下、図面等を参照しながら、本発明の実施の形態について、更に詳しく説明する。
【００１７】
図１は、引率入場管理システム１の概要を説明する図である。引率入場管理システム１は、案内者が所持する非接触ＩＣカードである案内者用ＩＣカード１００と、案内者によって引率される訪問者が所持する非接触ＩＣカードである訪問者用ＩＣカード３００と、機密保護領域９００の入退場口に設けられる入退場門装置５００と、非接触ＩＣカードを発行する機能を備えた情報処理装置７００とから、少なくとも構成される。
【００１８】
案内者用ＩＣカード１００には、案内者と訪問者に係わる情報が記述された引率データ１９５が記憶される。図４は、引率データ１９５を説明する図である。引率データ１９５のカードＩＤ１９５ａは、案内者用ＩＣカード１００毎に異なる番号（ここでは、「１００」）で、案内者の識別情報として利用され、引率データ１９５のカード種別１９５ｂは、非接触ＩＣカードが案内者用ＩＣカード１００であることを示す番号（ここでは、「１」）で、引率データ１９５の訪問者人数１９５ｃは、案内者が引率する訪問者の人数を示す数字（ここでは、「５」）で、引率データ１９５の訪問者カードＩＤ１９５ｄは、案内者が引率する訪問者が所持する訪問者用カード３００のカードＩＤ（ここでは、例えば、「９００１」）である。
【００１９】
引率データ１９５のカードＩＤ１９５ａおよびカード種別１９５ｂは、予め案内者用ＩＣカード１００に記憶されており、訪問者に応じて、引率データ１９５の訪問者人数１９５ｃおよび訪問者カードＩＤ１９５ｄは書き換えられる。
【００２０】
訪問者用ＩＣカード３００には、訪問者ごとの情報が記述された訪問者データ３９５が記憶される。図５は、訪問者データ３９５を説明する図である。訪問者データ３９５のカードＩＤ３９５ａは、訪問者用ＩＣカード３００毎に異なる番号で、訪問者の識別情報として利用され、訪問者データ３９５のカードＩＤ３９５ａは、引率データ１９５の訪問者カードＩＤ１９５ｄとして案内者用ＩＣカード１００に記憶される。
【００２１】
訪問者データ３９５のカード種別３９５ｂとは、非接触ＩＣカードが訪問者用ＩＣカード３００であることを示す番号で、訪問者データ３９５の案内者ＩＤ３９５ｃとは、訪問者を引率する案内者が所持する案内者用ＩＣカード１００のカードＩＤ１９５ａである。
【００２２】
訪問者データ３９５のカードＩＤ３９５ａおよびカード種別３９５ｂは、予め訪問者用ＩＣカード３００に記憶されており、案内者に応じて、訪問者データ３９５の案内者ＩＤは書き換えられる。
【００２３】
入退場門装置５００は、駅の自動改札機のように非接触ＩＣカードを利用して、フラッパーの開閉を自動で行う装置で、案内者用ＩＣカード１００に記憶されたカードＩＤ１９５ａが記述された案内者認証情報５９１を記憶している。
【００２４】
入退場門装置５００は、ＩＣカード読書装置７００ａを備え、案内者が訪問者を引率するとき、案内者が所持する案内者用ＩＣカード１００から引率データ１９５を読取ることで、案内者が引率する訪問者の人数と、訪問者が所持する訪問者用ＩＣカード３００のカードＩＤ３９５ａを取得し、訪問者の引率の管理に利用する訪問者照合データ５９５を作成する。
【００２５】
図６は、訪問者照合データ５９５を説明する図である。訪問者照合データ５９５の引率者ＩＤ５９５ａは、引率する案内者の識別情報で、引率データ１９５のカードＩＤ１９５ａが記述される。引率人数５９５ｂとは、引率される訪問者の人数を示す情報で、引率データ１９５の訪問者１９５ｃが記述される。更に、非引率者カードＩＤ５９５ｃとは、引率される訪問者の識別情報で、引率データ１９５の訪問者カードＩＤ１９５ｄが記述される。
【００２６】
案内者が入退場門装置５００を通過した後に、入退場門装置５００のＩＣカード読書装置７００ａに訪問者用ＩＣカード３００がかざされると、入退場門装置５００は訪問者ＩＣカード３００から訪問者データ３９５を読取り、訪問者照合データ５９５を参照し、訪問者データ３９５に含まれるカードＩＤ３９５ａを認証することで、訪問者を認証し、訪問者の認証に成功すると、フラッパーを開扉すると共に、入退場門装置５００を通過した訪問者の人数をカウントする。
【００２７】
入退場門装置５００は、訪問者の認証に失敗したときや、すべての訪問者が入退場門装置５００を通過したときに、カウントした訪問者の人数と訪問者照合データ５９５の引率人数５９５ｂが一致していなければ警告を発し、訪問者の引率状況に異常が発生したことを案内者に通知する。
【００２８】
なお、案内者用ＩＣカード１００および訪問者用ＩＣカード３００は、情報処理装置５００を用いて発行される。
【００２９】
ここから、図１で図示した引率入場管理システム１で実行される手順、すなわち、本発明に係わる方法について説明する。図２は、引率入場管理システム１の処理の流れを説明する第１のフロー図で、図３は、引率入場管理システム１の処理の流れを説明する第２のフロー図である。
【００３０】
図２を参照しながら、情報処理装置７００を利用して、案内者用ＩＣカード１００および訪問者用ＩＣカード３００を発行する手順について説明する。案内者用ＩＣカード１００を発行するとき、情報処理装置７００は、引率データ１９５を作成して、案内者用ＩＣカード１００に送信する（Ｓ１）。
【００３１】
引率データ１９５を作成するとき、訪問者に所持させる訪問者用ＩＣカード３００から訪問者用ＩＣカードのカードＩＤ３９５ａが読取られることで、引率データ１９５の訪問者人数１９５ｃおよび訪問者カードＩＤ１９５ｄが情報処理装置７００に入力され、入力されたこれらのデータを用いて、情報処理装置７００は引率データ１９５を作成する。
【００３２】
案内者用ＩＣカード１００は、情報処理装置７００から引率データ１９５を受信すると、受信した引率データ１９５をメモリに書き込むことで、引率データ１９５は案内者用ＩＣカード１００に記録される（Ｓ２）。
【００３３】
情報処理装置７００は案内者用ＩＣカード１００を発行すると、次に、訪問者用ＩＣカード３００を発行する。訪問者用ＩＣカード３００を発行するとき、情報処理装置７００は、訪問者データ３９５を作成して、案内者用ＩＣカード１００に送信する（Ｓ３）。
【００３４】
訪問者データ３９５を作成するとき、訪問者を引率する案内者が所持する案内者用ＩＣカード１００から引率データ１９５のカードＩＤ１９５ａを読取ることで、訪問者データ３９５の案内者ＩＤ３９５ｃが入力され、情報処理装置７００は、入力されたこれらのデータを用いて、訪問者データ３９５を作成する。
【００３５】
訪問者用ＩＣカード３００は、情報処理装置７００から訪問者データ３９５を受信すると、受信した訪問者データ３９５をメモリに書き込むことで、訪問者データ３９５は訪問者用ＩＣカード３００に記録され（Ｓ４）、図２で示した手順は終了する。
【００３６】
次に、図３を参照しながら、案内者が機密管理領域９００に訪問者を引率するときの手順について説明する。案内者が機密管理領域９００に訪問者を引率するとき、まず、入退場門装置５００は、案内者用ＩＣカード１００を検出すると、引率データ１９５の送信を案内者用ＩＣカード１００に要求する（Ｓ１０）。
【００３７】
引率データ１９５の送信要求は、引率データ１９５を読み出すコマンドメッセージを、入退場門装置５００から案内者用ＩＣカード１００に送信することで行われ、案内者用ＩＣカード１００は、このコマンドメッセージを受信すると、引率データ１９５を入退場門装置５００に返信する（Ｓ１１）。
【００３８】
入退場門装置５００は、案内者用ＩＣカード１００から引率データ１９５を受信すると、案内者が引率する訪問者の入退場門装置５００の利用を管理するために、受信した引率データ１９５を用いて、図６で図示したような訪問者照合データ５９５を作成する（Ｓ１２）。
【００３９】
入退場門装置５００は、訪問者照合データ５９５を作成すると、訪問者を引率する案内者を認証し、案内者の認証に成功すると、入退場門装置５００はフラッパーを開き、案内者のみを通過させる（Ｓ１３）。案内者の認証は、案内者用ＩＣカード１００から受信した引率データ１９５に含まれるカードＩＤ１９５ａを、案内者認証データ５９１を用いて認証することで行われる。
【００４０】
案内者の認証に成功すると、入退場門装置５００は、Ｓ１４からＳ１８で定義されるループ処理Ｌ１を繰返し実行し、案内者が引率する訪問者の管理を実行する。このループ処理Ｌ１において、入退場門装置５００は、訪問者用ＩＣカード３００を検出すると、訪問者データ３９５の送信を訪問者用ＩＣカード３００に要求する（Ｓ１４）。
【００４１】
訪問者データ３９５の送信要求は、訪問者データ３９５を読み出すコマンドメッセージを、入退場門装置５００から訪問者用ＩＣカード３００に送信することで行われ、訪問者用ＩＣカード３００は、このコマンドメッセージを受信すると、訪問者データ３９５を入退場門装置５００に返信する（Ｓ１５）。
【００４２】
入退場門装置５００は、訪問者用ＩＣカード３００から訪問者データ３９５を受信すると、訪問者照合データ５９５を参照して、訪問者データ３９５に含まれるカードＩＤ３９５ａを認証することで、訪問者を認証し（Ｓ１６）、訪問者の認証に成功すると、フラッパーを開き、一人の訪問者を通過させると共に、訪問者照合データ５９５に含まれる引率人数５９５ｂを一つだけ減算することで、入場した訪問者の人数をカウントする（Ｓ１７）。
【００４３】
なお、訪問者を認証したときに（Ｓ１６）、訪問者の認証に失敗すると、Ｓ２０に進み、入退場門装置５００は警告を発し、訪問者の引率状況に異常が発生したことを案内者に通知する（Ｓ２０）。
【００４４】
入退場門装置５００は、訪問者の認証に成功し、フラッパーを開いて一人の訪問者を通過させると、入退場門装置５００を通過する次の訪問者がいないか確認する（Ｓ１８）。入退場門装置５００は、訪問者の認証に成功してから所定時間（例えば、３０秒）を計測し、所定時間内に訪問者用ＩＣカード３００を検出したときは、ループ処理の先頭のＳ１４に戻り、所定時間内に訪問者用ＩＣカード３００を検出しなかったときは、ループ処理Ｌ１
を抜ける。
【００４５】
所定時間内に訪問者用ＩＣカード３００を検出せず、ループ処理Ｌ１を抜けると、入退場門装置５００は、訪問者照合データ５９５に含まれる引率人数５９５ｂを確認し（Ｓ１９）、訪問者照合データ５９５の引率人数５９５ｂが「０」であれば、訪問者の人数は正常と判断し、訪問者照合データ５９５を消去してこの手順を終了する。
【００４６】
また、訪問者照合データ５９５の引率人数５９５ｂが「０」でなければ、訪問者の人数は異常と判断し、訪問者照合データ５９５を消去した後、Ｓ２０へ進み、警告を発してこの手順を終了する。
【００４７】
ここから、図１で図示した引率入場管理システム１を構成する各々の装置について、詳細に説明する。図７は、入退場門装置５００の機能ブロック図、図８は、案内者用ＩＣカード１００及び訪問者用ＩＣカード３００の機能ブロック図、図９は、情報処理装置７００の機能ブロック図である。
【００４８】
図７に図示したように、入退場門装置５００は、引率データ送信要求手段５１０と、訪問者照合データ作成手段５２０と、案内者認証手段５３０と、訪問者データ送信要求手段５４０と、訪問者認証手段５５０と、開閉制御手段５６０と、通過人数計測手段５７０と、警告表示手段５８０と、記憶手段５９０とを備える。記憶手段５９０には、案内者認証情報５９１が記憶される。
【００４９】
引率データ送信要求手段５１０は、引率データ１９５を読み出すためのコマンドメッセージを案内者用ＩＣカード１００に送信することで、引率データ１９５の送信を案内者用ＩＣカードに要求する手段である。
【００５０】
訪問者照合データ作成手段５２０は、案内者用ＩＣカード１００から引率データ１９５を受信し、受信した引率データ１９５を用いて、訪問者の管理に利用する訪問者照合データ５９５を作成する手段で、案内者認証手段５３０は、案内者認証情報５９１を参照して、案内者用ＩＣカード１００から受信した引率データ１９５のカードＩＤ１９５ａを認証し、案内者の認証に成功すると、フラッパーの開扉指示を開閉制御手段５６０に送信する手段である。
【００５１】
訪問者データ送信要求手段５４０と、訪問者データ３９５を読み出すコマンドメッセージを訪問者用ＩＣカード３００に送信することで、訪問者データ３９５の送信を訪問者用ＩＣカード３００に要求する手段である。訪問者認証手段５５０は、訪問者用ＩＣカード３００から訪問者データ３９５を受信すると、訪問者照合データ５９５の被引率者カードＩＤ５９５ｃを参照して、訪問者データ３９５のカードＩＤ３９５ａを認証し、認証に成功すると、フラッパーの開扉指示を開閉制御手段５６０に送信する手段である。
【００５２】
開閉制御手段５６０は、案内者認証手段５３０及び訪問者認証手段５５０からの開扉指示を受け付けて、フラッパーを開き、入退場門装置５００を案内者や訪問者が通過すると、フラッパーを閉じる手段である。
【００５３】
通過人数計測手段５７０は、訪問者認証手段５５０が訪問者の認証に成功したときに、訪問者照合データ５９５に含まれる引率人数を一つだけ減算することで、入退場門装置５００を通過した訪問者の人数をカウントする手段である。
【００５４】
警告発信手段５８０は、入退場門装置５００を通過しようとする訪問者の認証に失敗したときや、入退場門装置５００を通過した訪問者の人数が、訪問者照合データ５９５の引率人数５９５ｂよりも少ないときに、警告音を発信するなどして、訪問者の引率状況に異常が発生したことを案内者に通知する手段である。
【００５５】
図８の図８（ａ）に図示したように、案内者用ＩＣカード１００は、引率データ返信手段１１０と、引率データ受信保持手段１２０と、記憶手段１９０とを備える。記憶手段１９０には、引率データ１９５が記憶される。
【００５６】
引率データ返信手段１１０は、入退場門装置５００から、引率データ１９５の送信要求を受けると、引率データ１９５を入退場門装置５００に返信する手段で、案内者用ＩＣカード１００に実装されるコマンド（例えば、ＲＥＡＤコマンド）で実現される。引率データ受信保持手段１２０は、情報処理装置７００から受信した引率データ１９５を記憶手段１９０に記憶する手段で、案内者用ＩＣカード１００に実装されるコマンド（例えば、ＷＲＩＴＥコマンド）で実現される。
【００５７】
図８の図８（ｂ）に図示したように、訪問者用ＩＣカード３００は、訪問者データ返信手段３１０と、訪問者データ受信保持手段３２０と、記憶手段３９０とを備える。記憶３９０手段には、訪問者データ３９５が記憶される。
【００５８】
訪問者データ返信手段３１０は、入退場門装置５００から、訪問者データ３９５の送信要求を受けると、訪問者データ３９５を入退場門装置５００に返信する手段で、訪問者用ＩＣカード３００に実装されるコマンド（例えば、ＲＥＡＤコマンド）で実現される。訪問者データ受信保持手段３２０は、情報処理装置７００から受信した訪問者データ３９５を記憶手段３９０に記憶する手段で、訪問者用ＩＣカード３００に実装されるコマンド（例えば、ＷＲＩＴＥコマンド）で実現される。
【００５９】
図９に図示したように、情報処理装置７００は、引率データ作成送信手段７１０と、訪問者データ作成送信手段７２０とを備える。
【００６０】
引率データ作成送信手段７１０は、訪問者に所持させる訪問者用ＩＣカード３００から訪問者用ＩＣカードのカードＩＤ３９５ａを読取ることで、引率データ１９５の訪問者人数１９５ｃおよび訪問者カードＩＤ１９５ｄを取得し、取得した引率データ１９５の訪問者人数１９５ｃおよび訪問者カードＩＤ１９５ｄを案内者用ＩＣカード１００に送信することで、引率データ１９５の訪問者人数１９５ｃおよび訪問者カードＩＤ１９５ｄを案内者用ＩＣカード１００に記録させる手段である。
【００６１】
訪問者データ作成送信手段７２０は、訪問者を引率する案内者が所持する案内者用ＩＣカード１００から引率データ１９５のカードＩＤ１９５ａを読取ることで、訪問者データ３９５の案内者ＩＤ３９５ｃを取得し、取得した訪問者データ３９５の案内者ＩＤ３９５ｃを訪問者用ＩＣカード３００に送信することで、訪問者データ３９５の案内者ＩＤ３９５ｃを訪問者用ＩＣカード３００に記憶させる手段である。
【００６２】
ここから、これまで説明した引率入場管理システム１の具体的な動作について説明する。図１０は、引率データ１９５、訪問者データ３９５及び訪問者照合データ５９５の一例を示した図である。図１０の図１０（ａ）で図示した引率データ１９５において、案内者用ＩＣカード１００のカードＩＤ１９５ａは「100」、カード種別１９５ｂは「1」、訪問者数１９５ｃは「2」、訪問者カードＩＤ１９５ｄは「9001」および「9002」である。
【００６３】
図１０の図１０（ｂ）で図示した訪問者データ３９５において、訪問者用ＩＣカード３００のカードＩＤ３９５ａは「9001」、カード種別３９５ｂは「2」、案内者ＩＤ３９５ｃは「100」で、図１０の図１０（ｃ）で図示した訪問者データ３９５において、訪問者用ＩＣカード３００のカードＩＤ３９５ａは「9002」、カード種別３９５ｂは「2」、案内者ＩＤ３９５ｃは「100」である。
【００６４】
また、図１０の図１０（ｃ）で図示した訪問者照合データ５９５は、引率者ＩＤ５９５ａは「100」で、引率人数５９５ｂは「2」、被引率者カードＩＤ３９５ｃは「9001」及び「9002」である。
【００６５】
図３で図示した手順に従って、案内者が機密管理領域９００に訪問者を引率するとき、案内者が、入退場門装置５００に案内者用ＩＣカード１００をかざすと、入退場門装置５００は、引率データ１９５のカード種別１９５ｂを読み取り、カード種別１９５ｂが「１」であれば、入退場門装置５００は、案内者用ＩＣカード１００のカードＩＤ１９５ａ（ここでは、「100」）を読み取り、案内者認証情報５９１を参照して、案内者用ＩＣカード１００のカードＩＤが案内者認証情報５９１に含まれているか確認することで、案内者を認証する。
【００６６】
案内者の認証に成功すると、入退場門装置５００は、引率データ１９５に含まれる訪問者人数１９５ｃ（ここでは、「2」）と、すべての訪問者カードＩＤ１９５ｄ（ここでは、「 9001 」と「 9002」）を読み取り、訪問者照合データ５９５を作成・保持した後、入退場門装置５００は、フラッパーの開いて、一人だけ（＝案内者）通過させる。なお、案内人の認証に成功しなければ、入退場門装置５００のフラッパーを開かない。
【００６７】
案内者に引率される訪問者が入退場門装置５００を通過するとき、訪問者は訪問者用ＩＣカード３００を入退場門装置５００にかざし、訪問者用ＩＣカード３００の訪問者データ３９５のカード種別３９５ｂを読み取り、カード種別３９５ｂが「２」であれば、訪問者用ＩＣカード３００の訪問者データ３９５からカードＩＤ３９５ａ（ここでは、「9001」）と、案内者ＩＤ３９５ｃ（ここでは、「100」）とを読み取り、訪問者照合データ５９５に含まれる被引率者カードＩＤ５９５ｃと引率者ＩＤ５９５ａと比較し、訪問者を認証する。
【００６８】
訪問者の認証に成功すると、入退場門装置５００は、訪問者照合データ５９５の引率人数５９５ｂを「2」から「1」に減算し、更に、訪問者の認証に利用された被引率者カードＩＤ５９５ｃ（ここでは、「9001」）を訪問者照合データ５９５から消去することで、訪問者照合データ５９５を更新し、フラッパーを開いて、一人だけ（＝訪問者）通過させる。
【００６９】
入退場門装置５００は、次の訪問者がかざした訪問者用カード５００のカード種別３９５ｂを読み取り、カード種別３９５ｂが「２」であれば、訪問者用ＩＣカード３００の訪問者データ３９５からカードＩＤ３９５ａ（ここでは、「9002」）と、案内者ＩＤ３９５ｃ（ここでは、「100」）とを読み取り、訪問者照合データ５９５に含まれる被引率者カードＩＤ５９５ｃと引率者ＩＤ５９５ａと比較し、訪問者を認証する。
【００７０】
訪問者の認証に成功すると、入退場門装置５００は、訪問者照合データ５９５の引率人数５９５ｂを「1」から「0」に減算し、更に、訪問者の認証に利用された被引率者カードＩＤ５９５ｃ（ここでは、「9002」）を訪問者照合データ５９５から消去することで、訪問者照合データ５９５を更新し、フラッパーを開いて、一人だけ（＝訪問者）通過させる。
【００７１】
ここで、カード３９５ａが「9002」である訪問者用ＩＣカード３００を所持する２人目の訪問者が通過しなかった場合について説明する。
【００７２】
訪問者カードＩＤが「9001」である訪問者ＩＣカード３００を所持する訪問者が入退場門装置５００を通過した後、所定時間（ここでは、３０秒）が経過すると、入退場門装置５００は、訪問者照合データ５９５の引率人数５９５ｂの値をチェックする。訪問者カードＩＤが「9001」である訪問者ＩＣカード３００を所持する訪問者のみが入退場門装置５００を通過したとき、引率人数５９５ｂの値が「１」なので、入退場門装置５００は、警告を発し、訪問者照合データ５９５を消去する。
【００７３】
また、カード３９５ａが「9002」である訪問者用ＩＣカード３００を２人目の訪問者が通過する前に、カードＩＤ３９５ａが「9003」である訪問者ＩＣカード３００を所持する訪問者が入退場門装置５００を通過する場合を説明する。
【００７４】
入退場門装置５００は、異なる訪問者がかざした訪問者用カード３００から訪問者データ３９５のカード種別３９５ｂを読み取り、カード種別「２」であれば、訪問者用ＩＣカード３００のカードＩＤ３９５ａ（ここでは、「9003」）と案内者ＩＤ３９５ｃ（例えば、「101」）とを読み取り、訪問者照合データ５９５と比較し、訪問者を認証する。
【００７５】
ここでは、訪問者用ＩＣカード３００のカードＩＤ３９５ａ（ここでは、「9003」）と案内者ＩＤ３９５ｃ（例えば、「101」）は訪問者照合データ５９５に登録されていないので、入退場門装置５００は、訪問者の認証に失敗するため、入退場門装置５００は、警告を発し、訪問者照合データ５９５を消去する。
【００７６】
このように、引率される訪問者の認証に利用する訪問者用ＩＣカード３００を訪問者に所持させることで、機密情報の管理が必要とされる機密管理領域９００に引率される訪問者を制限し、更に、訪問者用ＩＣカード３００が紛失された場合であっても、紛失した訪問者用ＩＣカード３００の悪用を防止することができる引率入場管理システム１を提供でき、加えて、引率する訪問者の人数を計数して管理するときに、待機室などの専用の空間を必要としない引率入場管理システム１を提供できた。
【図面の簡単な説明】
【００７７】
【図１】引率入場管理システムの概要を説明する図。
【図２】引率入場管理システムの処理の流れを説明する第１のフロー図。
【図３】引率入場管理システムの処理の流れを説明する第２のフロー図。
【図４】引率データを説明する図。
【図５】訪問者データを説明する図。
【図６】訪問者照合データを説明する図。
【図７】入退場門装置の機能ブロック図。
【図８】案内者用ＩＣカード及び訪問者用ＩＣカードの機能ブロック図。
【図９】情報処理装置の機能ブロック図。
【図１０】引率データ、訪問者データ及び訪問者照合データの一例を示した図。
【符号の説明】
【００７８】
１  引率入場管理システム
１００  案内者用ＩＣカード
１１０  引率データ返信手段
１２０  引率データ受信保持手段
１９０  記憶手段
１９５  引率データ
３００  訪問者用ＩＣカード
３１０  訪問者データ返信手段
３２０  訪問者データ受信保持手段
３９０  記憶手段
３９５  訪問者データ
５００  入退場門装置
５１０  引率データ送信要求手段
５２０  訪問者照合データ作成手段
５３０  案内者認証手段
５４０  訪問者データ送信要求手段
５５０  訪問者認証手段
５６０  開閉制御手段
５７０  通過人数計測手段
５８０  警告表示手段
５９０  記憶手段
７００  情報処理装置
【図１】
2008102912.tif 000003
【図２】
2008102912.tif 000004
【図３】
2008102912.tif 000005
【図４】
2008102912.tif 000006
【図５】
2008102912.tif 000007
【図６】
2008102912.tif 000008
【図７】
2008102912.tif 000009
【図８】
2008102912.tif 000010
【図９】
2008102912.tif 000011
【図１０】
2008102912.tif 000012